(57)【要約】【課題】構造が簡単であるとともに使いやすく安価であり、かつ壊れにくい調理容器の運搬具を提供すること。【解決手段】  加熱された加熱された食器（皿、茶碗等）の調理容器の運搬に使用する運搬具１であり、前記調理容器の開口縁と係脱可能に係合するフック５と、当該フック５の下方において前記調理容器の外周面と当接する当接手段６と、前記フック５および当接手段６を先端に設けた把持部３を有している。当接手段６は、２股状に形成された左右一対の支持アームによって構成されており、調理容器の外周面との間で摩擦力を発揮する滑り止め用のコーティング若しくは滑り止め手段が設けられている。【選択図】図１
0003140315.tif 000002
【実用新案登録請求の範囲】
【請求項１】
加熱された食器、皿、茶碗等の調理容器の運搬に使用する運搬具であって、
前記調理容器の開口縁と係脱可能に係合するフックと、
当該フックの下方において前記調理容器の外周面と当接する当接手段と、
前記フックおよび当接手段を先端に設けた把持部を有したことを特徴とする調理容器の運搬具。
【請求項２】
前記当接手段は、２股状に形成された左右一対の支持アームによって構成されていることを特徴とする請求項１記載の調理容器の運搬具。
【請求項３】
前記当接手段には、調理容器の外周面との間で摩擦力を発揮する滑り止め用のコーティング若しくは滑り止め手段が設けられていることを特徴とする請求項２記載の調理容器の運搬具。
【考案の詳細な説明】
【技術分野】
【０００１】
本考案は、電子レンジやオーブンレンジ等で加熱された調理容器に取り付けることで、当該調理容器を運搬することができる調理容器の運搬具に関するものである。
【背景技術】
【０００２】
従来、主に食卓で使う一般的な範囲の大きさで様々な形状をした調理容器および食器に対応し、調理容器や食器の外側から容器外周縁を多点支持で押さえ込む力学的構造を応用した把持機能を持つ特許文献１記載の調理容器用把持具が知られている。当該特許文献１記載の調理容器用把持具は、把持部の位置を調節可能に支持する移動機構を備えた支持部材を有することを特徴とするものであり、当該支持部材の移動によって把持する調理容器の大きさに対応するようになっている。
【０００３】
しかし、上記特許文献１記載の調理容器用把持具は、調理容器の大きさに対応するために移動機構等を有するものであり、構造が複雑であるとともに部品数が多く高価になりやすいという課題を有している。
【特許文献１】登録実用新案公報第３０９９５３５号公報
【考案の開示】
【考案が解決しようとする課題】
【０００４】
本考案は、上記課題に鑑み案出されたものであって、構造が簡単であるとともに使いやすく安価であり、かつ壊れにくい調理容器の運搬具を提供することを課題とするものである。
【課題を解決するための手段】
【０００５】
本考案は、上記課題を解決するために以下の構成を有する。すなわち、請求項１記載の考案は、
加熱された食器、皿、茶碗等の調理容器の運搬に使用する運搬具であって、
前記調理容器の開口縁と係脱可能に係合するフックと、
当該フックの下方において前記調理容器の外周面と当接する当接手段と、
前記フックおよび当接手段を先端に設けた把持部を有したことを特徴とする調理容器の運搬具。
【０００６】
また、請求項２記載の考案は以下の構成を有する。すなわち、
前記当接手段は、２股状に形成された左右一対の支持アームによって構成されていることを特徴とする請求項１記載の調理容器の運搬具。
【０００７】
また、請求項３記載の考案は以下の構成を有する。すなわち、
前記当接手段には、調理容器の外周面との間で摩擦力を発揮する滑り止め用のコーティング若しくは滑り止め手段が設けられていることを特徴とする請求項２記載の調理容器の運搬具。
【考案の効果】
【０００８】
本考案に係る調理容器の運搬具は、大きさの異なる種々の調理容器に使用可能でありながら可動する部分を有しておらず、これにより構造が簡単で部品点数も少なく、壊れにくく安価に形成することが出来るという効果を有している。
【考案を実施するための最良の形態】
【０００９】
以下、本考案を実施するための最良の形態について説明する。図１において１は本考案に係る調理容器の運搬具を表しており、図１（ａ）は当該運搬具１の側面図、図１（ｂ）は平面図を表している。当該運搬具１は加熱された食器（皿、茶碗等）の調理容器と係合してこれらを保持する保持部２と、当該保持部２に接続された把持部３によって構成されている。
【００１０】
前記保持部２は、下向きの爪部４を先端に設けたフック５と、当該フック５の下方に配置された調理容器外周面と当接する当接手段を有している。
前記当接手段は、２股状に形成された左右一対の支持アーム６（６ａ、６ｂ）として構成されている。当該左右の支持アーム６ａ、６ｂの内面は調理容器の外側壁と当接する部位であり、緩やかな角度を介して互いに向き合うような配置となっている。
本実施の形態では、各支持アーム６ａ、６ｂの先端部に、互いの平面部の成す角度が略１００〜１１０度となるように配置された当接面７（７ａ、７ｂ）が設けられている。また、当該両当接面７ａ、７ｂの間には円弧状の湾曲面８が設けられている。
【００１１】
また、前記フック５および支持アーム６からなる保持部２は、プラスチックによる一体形の構造物として形成されており、調理容器を保持した際に荷重により変形しないよう強固に作られている。なお、保持部２は、鉄、ステンレス等の金属により形成しても良い。そして、支持アーム６の当接面７ａ、７ｂおよび湾曲面８には、滑り止め用のコーティングが施されている（図示せず）。なお、コーティングに代えて、耐熱性のある滑り止め用のゴム等を貼り付けても良いし、滑り止め用の種々の表面加工が行われても良い。
【００１２】
前述したフック５に設けた爪部４は調理容器上部の開口縁に係合する第1の係合部となっている。そして、支持アーム６の当接面７ａ、７ｂは、それぞれ調理容器の側壁に当接する第２、第３の係合部となっている。すなわち、運搬具１は調理容器を３点によって支持する３点支持構造になっているので、安定して調理容器を保持するようになっている。
【００１３】
把持部３は、使用者が握る部分であり直径３０mm程度の円柱状に形成されている。当該部分には発泡素材による弾力性のある素材シートを巻き付けたり、把持部３自体を木製あるいは合成樹脂製にするなど持ちやすさを考慮して適宜の素材が選択される。把持部３と前記保持部２との接続部９は、強度のある金属製の中空パイプまたは中実棒によって形成されている。
【００１４】
図２は、調理容器の外形と支持アーム６の当接部位との関係を表した説明図である。図２において、Ａは外形の直径が約１００mmの調理容器、Ｂは外形の直径が約１５０mmの調理容器、Ｃは外形の直径が約２００mmの調理容器を想定した仮想線を表している。
同図に示されるように、Ａ〜Ｃの外形を有する調理容器の場合、当接する部位は支持アーム６の先端部に設けた前記当接面７ａ、７ｂまたは当該当接面７ａ、７ｂの外周部である。
調理容器の直径が大きなものや矩形容器等のように側面が直線状の調理容器の場合には、当接面７ａ、７ｂの最先端の部分が当接する。当接面７ａ、７ｂの先端部は鋭角な角ではなく曲面として形成されているので、調理容器が大きい場合には当該先端の曲面部分が調理容器と当接することになる。
また、調理容器の直径が比較的小さい調理容器の場合には、当接面７ａ、７ｂの付け根側若しくは湾曲面８の内部が調理容器と当接する。このように、調理容器の大きさが異なっても、各調理容器の側面に支持アーム６を当接させ、調理容器を保持することができるようになっている。
【００１５】
図３は、直径の異なる円筒型の調理容器を保持した場合の運搬具１の側面側から見た姿勢を表した説明図であり、保持部２近辺を部分的に断面図として表したものである。そして、図３（ａ）は直径の小さい調理容器を保持した場合、図３（ｂ）は直径の大きい調理容器を保持した場合を表している。
運搬具１が調理容器を保持するには、フック５の爪部４を調理容器の開口縁に掛け、次いで支持アーム６の内面を調理容器の外側面に当接させる。その状態で把持部３を掴んで調理容器を持ち上げると、支持アーム６の内面の何れかの部位が調理容器の外側面を押しフック５の爪部４が調理容器上部の開口縁を引っ張るように作用し、調理容器を持ち上げることができる。また、支持アーム６の内面には摩擦係数の高い滑り止めが設けられているので、支持アーム６の押圧力に比例する摩擦力が調理容器の下方への落下を防止している。
【００１６】
また、図３（ａ）に示すように直径の小さい調理容器を保持する場合には、支持アーム６内の中心に近い部分（付け根に近い部分）が調理容器の側面と接するので、当該接触部分とフック５の爪部４の距離が近くなり運搬具１の傾斜角度が比較的浅くなる。
これに対して、図３（ｂ）に示すように直径の大きい調理容器を保持する場合には、支持アーム６内の中心から遠い部分が調理容器の側面と接するので、当該接触部分とフック５の爪部４の距離が長くなり運搬具１の傾斜角度が大きくなる。また、調理容器の直径が大きくなると、支持アーム６内面の上縁部が調理容器の側面と接するようになる。より正確には当接面７ａ、７ｂ先端部の上縁部付近が調理容器の側面と接触する。
【００１７】
以上説明した本考案に係る運搬具１は、調理容器の大きさに応じて調節を行うような機構は無いものの、調理容器の大きさに応じて運搬具１の傾斜角度が適宜最適な関係となり、種々の大きさの調理容器を保持し運搬することができるようになっている。
【産業上の利用可能性】
【００１８】
本考案は、電子レンジやオーブンレンジ等で加熱された調理容器に取り付けることで、当該調理容器を運搬することができる調理容器の運搬に利用可能である。
【図面の簡単な説明】
【００１９】
【図１】本考案に係る運搬具の外観図である。
【図２】本考案に係る運搬具と調理容器との関係を表した説明図である。
【図３】本考案に係る運搬具の使用例を表した説明図である。
【符号の説明】
【００２０】
１  運搬具
２  保持部
３  把持部
４  爪部
５  フック
６  支持アーム（当接手段）
７  当接面
８  湾曲面
９  接続部
【図１】
0003140315.tif 000003
【図２】
0003140315.tif 000004
【図３】
0003140315.tif 000005